(57)【要約】【課題】洗面台と、ビデ、便器などが収納可能な収納式衛生器具を提供し、設置のための占有面積を減少する。【解決手段】収納式衛生器具は、フレーム６と、前記フレーム６と結合して配置されている洗面台４と、前記フレーム６の下部に設置される便器１と、を備え、前記便器は一端に２本の突出した回転軸８を備え、前記回転軸８は前記フレーム６に固定された軸受枠１内に取り付けられ、更に、前記便器４は、前記フレーム６に固定された伝動機構と相互に接続され、前記伝動機構により駆動され前記フレーム６内に収納される。【選択図】図１
0003124193.tif 000002
【実用新案登録請求の範囲】
【請求項１】
フレームと、
前記フレームと結合して配置されている洗面台と、
前記フレームの下部に設置される便器と、を備え、
前記便器は一端に２本の突出した回転軸を備え、前記回転軸は前記フレームに固定された軸受枠内に取り付けられ、
更に、前記便器は、前記フレームに固定された伝動機構と相互に接続され、前記伝動機構により駆動され前記フレーム内に収納されることを特徴とする収納式衛生器具。
【請求項２】
前記便器に備えた回転軸と前記フレームに固定された軸受枠との取付け位置は相互に変更することができることを特徴とする請求項１に記載の収納式衛生器具。
【請求項３】
前記便器の取水口及び排水口は、便器の後部に位置しており、前記取水口は第一回転接続管を介して取水管、第一電磁弁、水タンクの順で接続され、前記排水口は第二回転接続管を介して第一排水管と相互に接続しており、前記第一回転接続管及び第二回転接続管は一列に便器の２本の回転軸の間に配設されており、かつそれらの管芯は回転軸の軸芯と同一直線上に保持されており、前記回転接続管は１個の密封部品を２個の管スリーブの接続箇所の間に嵌合して組み合わされてなる接続部品であることを特徴とする請求項１に記載の収納式衛生器具。
【請求項４】
前記排水口は第二回転接続管を介して１個のＴ型管と相互に接続しており、前記Ｔ型管及び第二回転接続管の水平方向の一端は第一排水管と相互に接続し、垂直方向の一端は第二電磁弁、第二排水管の順で接続されていることを特徴とする請求項３に記載の収納式衛生器具。
【請求項５】
前記便器の前部には１個の凹形ハンドルが設けられており、必ずしも便座蓋を設置しなくてもよいことを特徴とする請求項１に記載の収納式衛生器具。
【請求項６】
前記便器には数量が１本または１本以上の支持部品が配置されており、前記支持部品の一端は便器と可動接続または固定接続しており、かつ別の一端にはローラを設置可能であることを特徴とする請求項１に記載の収納式衛生器具。
【請求項７】
前記フレームには数量が１個または１個以上のシャワー式ノズルが設置されており、前記ノズルの出水方向は前記便器を指向していることを特徴とする請求項１に記載の収納式衛生器具。
【請求項８】
前記フレームには１台の温風器が設置されており、前記温風器の送風方向は便器を指向していることを特徴とする請求項１に記載の収納式衛生器具。
【請求項９】
前記便器は、ビデまたは小便器であることを特徴とする請求項１〜請求項８のいずれか１項に記載の収納式衛生器具。
【考案の詳細な説明】
【技術分野】
【０００１】
本考案は、日常生活における衛生器具に属するものであり、特に浴室内の洗面台と、ビデ、小便器、大便器などの便器の設置構造の改善に関するものである。
【背景技術】
【０００２】
一般の浴室内において、洗面台と、ビデ、小便器、大便器などの便器は一般にそれぞれ単独で配置されている。そのため浴室内の一定の空間と面積を占有する必要があり、特に狭い浴室内において、それらの衛生器具は利用者の活動空間を低減させる。
【考案の開示】
【考案が解決しようとする課題】
【０００３】
しかしながら、現在の建材市場においては、この種の占有面積を節減する機能を備えた衛生器具は非常に少数である。
【０００４】
そこで、本考案は、衛生器具の浴室内における占有面積と空間の節減を求める消費者の要求を満たすため、収納式衛生器具を提供することを目的とするものである。
【課題を解決するための手段】
【０００５】
前記技術的課題を解決するために、本考案にかかる技術を適用した収納式衛生器具の特徴は次の通りである。
【０００６】
すなわち、本考案にかかる収納式衛生器具は、洗面台、便器、フレームなどが含まれ、前記洗面台は前記フレームと結合して配置されており、前記便器は前記フレームの下部に設置されており、前記便器の一端には２本の突出した回転軸が配設され、前記回転軸は軸受枠内に取り付けられ、前記軸受枠は前記フレーム上に固定されており、前記便器は伝動機構と相互に接続し、前記伝動機構はフレーム上に固定されているモータで駆動され、フレーム内に収納することができる。
【０００７】
また、本考案にかかる収納式衛生器具において、便器の取水口及び排水口は便器の後部に位置している。前記取水口は第一回転接続管を介して取水管、第一電磁弁、水タンクの順で接続されており、前記排水口は第二回転接続管を介して第一排水管と相互に接続しており、前記第一回転接続管及び第二回転接続管は一列に便器の２本の回転軸の間に配設されており、それらの管芯は回転軸の軸芯と同一直線上に保持されている。前記回転接続管は１個の密封部品を２個の管スリーブの接続箇所の間に嵌合して組み合わされてなる接続部品であり、それらはスムーズに回動することができるばかりではなく、密封効果を奏する。
【０００８】
また、本考案にかかる収納式衛生器具において、前記排水口を接続する第二回転接続管は１個のＴ型管と相互に接続しており、前記Ｔ型管及び第二回転接続管の水平方向の一端は第一排水管と相互に接続し、垂直方向の一端は第二電磁弁、第二排水管の順で接続されている。
【０００９】
本考案にかかる収納式衛生器具において、更に、好適には、（１）前記便器の回転軸と前記フレーム上の軸受枠との取付け位置は相互に変更することが可能である。（２）前記便器の前部には１個の凹形ハンドルが設けられており、必ずしも便座蓋を設置しなくてもよい。（３）前記便器には数量が１本または１本以上の支持部品が配置されており、前記支持部品の一端は便器と可動接続または固定接続しており、かつ別の一端にはローラを設置可能である。（４）前記フレームには数量が１個または１個以上のシャワー式ノズルが設置されており、前記ノズルの出水方向は便器を指向している。（５）前記フレームには１台の温風器が設置されており、前記温風器の送風方向は便器を指向している。
【００１０】
また、本考案の収納式衛生器具において、便器はビデまたは小便器とすることが可能である。
【考案の効果】
【００１１】
本考案にかかる収納式衛生器具によれば、以下のような効果を奏することができる。すなわち、（１）洗面台とビデ、または洗面台と便器、もしくは洗面台と小便器の組合せで一つのフレーム上に配設して、一つの衛生器具キャビネットが構成されるため、衛生器具の移動と取り付け、維持保守などのすべてが非常に簡便である。（２）洗面台または便器もしくは小便器は使用しない場合には回転収納されるため、占有面積と空間を節減することが可能である。
【００１２】
また、本考案の収納式衛生器具は、現在の市場に出回っている衛生器具と比較した場合、機能は完全で、スタイルは斬新であるという利点が備わっているため、各種の場所に応用可能である。
【考案を実施するための最良の形態】
【００１３】
以下、本考案の具体例を実施例及び図面を用いて詳細に説明する。
【実施例１】
【００１４】
図１は、本考案の実施例１にかかる収納式衛生器具の便器収納状態を示す斜視図、図２は、本考案の実施例１にかかる収納式衛生器具の便器利用状態を示す斜視図、図３は、便器伝動機構の要部構成を示す斜視図、図４は便器に設けられるＴ型管の接続を示す管路構成図である。
【００１５】
図１〜図４において、各参照符号は次の通りである。すなわち、１は便器、２は赤外線センサ、３は制御ボタン、４は洗面台、５は蛇口、６はフレーム、７は蓋板、８は回転軸、９は支持部品、１０は支持アーム、１１は回転軸軸受枠、１２はロッド伝動プッシャ、１３はクランク、１４は凹形ハンドル、１５は第一伝動軸、１６はモータ、１７は伝動軸軸受枠、１８は第二伝動軸、１９は第一回転接続管、２０は第二回転接続管、２１はローラ、２２は第一電磁弁、２３は第一センサ、２４は第二センサ、２５は第三センサ、２６は第四センサ、２７はＴ型管、２８は第二電磁弁、２９は第一排水管、３０は第二排水管、３１はシャワー式ノズル、３２は温風器である。
【００１６】
本実施例１にかかる収納式衛生器具には、洗面台４、便器１及び直方体のフレーム６が含まれる。洗面台４はフレーム６の上方に配設され、便器１はフレーム６の下方に配設され、赤外線センサ２、ボタン３がフレーム６の前面に配設されている。
【００１７】
図３を参照すると、便器１の一端には２本の突出した回転軸８が備えられ、それらの軸方向は床面と相互に平行であり、回転軸８の軸受枠１１はフレーム６下部の両側に配設されており、２本の回転軸８は軸受枠１１内に配設されている。第一伝動軸１５の軸受枠１７はフレーム６底部の両側に配設されており、第一伝動軸１５の両端も軸受枠１７内に装着されている。前記第一伝動軸１５の軸及び前記第一伝動軸のための軸受枠の配設位置は相互に変更可能である
【００１８】
ロッド電動プッシャ１２は専用モータ等のモータであり、その用途は便器１を回転駆動することであり、該モータはフレーム６の後方下部に配設されている。ロッド電動プッシャ１２と便器１との間は第一伝動軸１５、クランク１３、支持アーム１０、支持部品９で構成される伝動機構で接続されている。
【００１９】
具体的な接続方式は次の通りである。すなわち、ロッド電動プッシャ１２のプッシュロッドの一端がクランク１３の中間部と可動接続しており、クランク１３の両端は第一伝動軸１５の中間部と固定接続しており、支持アーム１０の一端は第一伝動軸１５の中間部と固定接続しており、その別の一端は支持部品９の中間部と可動接続しており、支持部品９の一端は便器１の底部と可動接続している。注目すべき点は、本考案の伝動機構には１本または複数本の支持アーム１０もしくは支持部品を含むことができる点である。
【００２０】
上記実施例１にかかる収納式衛生器具において、フレームに収納される便器の駆動には、手動操作方式または自動制御方式の２種類の操作方式が適用可能である。手動操作時には、手で便器１上の凹形ハンドル１４を正方向または逆方向に回動させて便器１を回転させることができる。
【００２１】
自動制御の場合は次の通りとなる。便器１を使用する際にはボタン３を押すと、ロッド電動プッシャ１２のプッシュロッドが後退を開始し、それによりクランク１３、第一伝動軸１５、支持アーム１０、支持部品９を介して便器１が反時計回りに回転駆動され、センサ２３が、便器１が９０度回転したことを検出すると、ロッド電動プッシャ１２のプッシュロッドは後退を停止し、その際には支持部品９が便器１と床面との接触を支持しており、図２に示されている通り、便器１は使用可能状態となる。
【００２２】
利用者が便器１を離れたことを赤外線センサ２が検出すると、第二電磁弁２８がオンとなり、その後ロッド電動プッシャ１２のプッシュロッドが前進を開始し、便器１を駆動して時計回りに回転させ、第四センサ２６が便器１が９０度回転したことを検出すると、ロッド電動プッシャ１２のプッシュロッドは前進を停止し、電磁弁２８はオフとなり、その際には図１に示されている通り、便器１は収納状態となる。
【００２３】
その後第一電磁弁２２がオンとなり、シャワー式ノズル３１により便器１の内部及び外部が吹付け洗浄されるとともに、マイクロコンピュータが計時を開始し、マイクロコンピュータが計時を終了すると、電磁弁２２はオフとなり、その後温風器３２がオンとなるとともに、マイクロコンピュータが計時を開始し、マイクロコンピュータが計時を終了すると、温風器３２はオフとなる。
【実施例２】
【００２４】
図５は、本考案の実施例２にかかる収納式衛生器具の便器収納状態を示す斜視図、図６は、本考案の実施例２にかかる収納式衛生器具の便器利用状態を示す斜視図である。本実施例２にかかる収納式衛生器具は、前述した実施例１にかかる収納式衛生器具と構造上及び使用方式において相互に類似しているが、異なる点は次の通りである。
【００２５】
すなわち、図５、図６に示すように、２本の突出した回転軸８の取付け位置が床面と水平な方向から垂直な方向に変更されて便器１の一端に配設されている。軸受枠１１もフレーム６の下部両側への配設からフレーム６前面の上・下方に変更されている。第一回転接続管１９、第二回転接続管２０は一列に２本の回転軸８の間に配設されており、それらの管芯及び回転軸８の軸芯は同一直線上に保持されているが、その直線は床面と相互に垂直と変更されている。
【００２６】
伝動機構は第一伝動軸１５、クランク１３、支持アーム１０による構成と変更されており、前記支持アーム１０の一端は便器１と可動接続しており、支持部品９は一端が便器１の底部に固定接続し、別の一端にはローラ２１が配設、と変更されている。そのため、便器１の回転方向は実施例１の上下反転から床面に沿った平行移動に変更されている。
【００２７】
モータ１６の用途は便器１上の蓋板７の回転を駆動することであり、それは歯車、第二伝動軸１８と一つのアセンブリを構成しており、当該アセンブリは便器１の後方上部に配設されており、蓋板７の一端は第二伝動軸１８の両端に固定接続されている。モータ１６が正方向に回動すると、歯車及び第二伝動軸１８を介して蓋板７が時計回りに回転駆動し、第二センサ２４が蓋板７が開放されて所定位置に到達したことを検出すると、モータ１６は回動を停止する。モータ１６が逆方向に回動すると、蓋板７は反時計回りに回転し、第三センサ２５が、蓋板７が閉塞して所定位置に到達したことを検出すると、モータ１６は回動を停止する。
【００２８】
図７は、本考案にかかる収納式衛生器具の制御回路の構成を示す図である。図７に示される第一センサ２３及び第四センサ２６はフレーム６上に配設されており、第二センサ２４及び第三センサ２５は便器１の後方上部に配設されており、赤外線センサ２及びボタン３はフレーム６の前面に配設されており、それらセンサはマイコンチップに信号を入力する。
【００２９】
ボタン３が押されると、マイコンチップが起動し、その後異なる入力信号に基づき、内蔵プログラムにより処理した後、出力端のロッド伝動プッシャ１２、モータ１６、電磁弁２２、電磁弁２８、温風器３２の相応の動作を制御する。
【００３０】
以上、本考案にかかる収納式衛生器具の詳細を説明したが、本考案の収納式衛生器具においてその他の形状を採用し、及び、種々の変更を加えることが可能である。例えば、必要に応じて支持アーム１０や支持部品９の数量を変更することである。しかしながら、これらち変更はすべて本考案の請求範囲にかかる構成を備える限り、本考案の範囲内にあることは言うまでもない。
【図面の簡単な説明】
【００３１】
【図１】本考案の実施例１にかかる収納式衛生器具の便器収納状態を示す斜視図である。
【図２】本考案の実施例１にかかる収納式衛生器具の便器利用状態を示す斜視図である。
【図３】便器伝動機構の要部構成を示す斜視図である。
【図４】便器に設けられるＴ型管の接続を示す管路構成図である。
【図５】本考案の実施例２にかかる収納式衛生器具の便器収納状態を示す斜視図である。
【図６】本考案の実施例２にかかる収納式衛生器具の便器利用状態を示す斜視図である。
【図７】本考案にかかる収納式衛生器具の制御回路の構成を示す図である。
【符号の説明】
【００３２】
１・・・・便器
２・・・・赤外線センサ
３・・・・制御ボタン
４・・・・洗面台
５・・・・蛇口
６・・・・フレーム
７・・・・蓋板
８・・・・回転軸
９・・・・支持部品
１０・・・支持アーム
１１・・・回転軸軸受枠
１２・・・ロッド伝動プッシャ
１３・・・クランク
１４・・・凹形ハンドル
１５・・・第一伝動軸
１６・・・モータ
１７・・・伝動軸軸受枠
１８・・・第二伝動軸
１９・・・第一回転接続管
２０・・・第二回転接続管
２１・・・ローラ
２２・・・第一電磁弁
２３・・・第一センサ
２４・・・第二センサ
２５・・・第三センサ
２６・・・第四センサ
２７・・・Ｔ型管
２８・・・第二電磁弁
２９・・・第一排水管
３０・・・第二排水管
３１・・・シャワー式ノズル、
３２・・・温風器
【図１】
0003124193.tif 000003
【図２】
0003124193.tif 000004
【図３】
0003124193.tif 000005
【図４】
0003124193.tif 000006
【図５】
0003124193.tif 000007
【図６】
0003124193.tif 000008
【図７】
0003124193.tif 000009